(57)【特許請求の範囲】
【請求項１】
小型電子機器を内部に収納し一端部に装着された火薬により小型電子機器を発射するカートリッジアセンブリであって、
小型電子機器を内部に収納するように適合した、一端部に前記火薬を装着可能な火薬装着部を有し、該一端部と反対側の他端部に複数の穴を有するカートリッジと、
弾性を有する腕部と該腕部に一体的に形成された複数の突起を有し、該突起が前記カートリッジの穴に挿入されることにより前記カートリッジの他端部に装着される蓋とを具備し、
前記カートリッジはカートリッジ装填部の寸法よりも僅かばかり小さな外側寸法と、カートリッジ外面の前記一端部からカートリッジの長手方向に少なくとも部分的に伸長する複数のリブ状突起を有していることを特徴とする小型電子機器用カートリッジアセンブリ。
【請求項２】
前記蓋は環状溝を有しており、該環状溝中にパッキンが挿入されていることを特徴とする請求項１記載の小型電子機器用カートリッジアセンブリ。
【請求項３】
前記火薬装着部は押し込まれた火薬を保持する前記カートリッジと一体的に形成された環状保持突起を有していることを特徴とする請求項１又は２記載の小型電子機器用カートリッジアセンブリ。
【請求項４】
前記カートリッジの一端部に挿入された、スカート状の受圧部を有するピストンを更に具備したことを特徴とする請求項１〜３のいずれかに記載の小型電子機器用カートリッジアセンブリ。
【発明の詳細な説明】
【０００１】
【発明の属する技術分野】
本発明は電波放射装置等の小型電子機器を収納するカートリッジアセンブリに関する。
【０００２】
近年、製品の小型・軽量化に伴い、電子機器を収納するカートリッジも小型化及び軽量化が要求されている。特に航空機から放出される電波放射装置のような小型電子機器は、データの更新等を行なうためにカートリッジから取り出し、データ更新後に再度カートリッジ内に収納する必要がある。また、保管年限が長くなると、劣化防止のための何らかの手段を講じる必要がある。
【０００３】
【従来の技術】
図１乃至図４を参照して、従来の小型電子機器用カートリッジアセンブリについて説明する。図１を参照すると、符号２は複数のマガジン４が取り付けられたマガジンユニットであり、航空機６に装着される。
【０００４】
図２に示すように、マガジン４は格子状に区分けされた複数のカートリッジ装填部５を有しており、この中に小型電子機器用カートリッジアセンブリ１０が装填される。
【０００５】
カートリッジアセンブリ１０は、カートリッジ１２内に電波放射装置等の小型電子機器を収納し、蓋１４で一端部を閉鎖する。カートリッジ１２の他端部には鍔１３が一体的に形成されており、マガジン４のカートリッジ装填部５内に装填されたカートリッジアセンブリ１０はこの鍔１３で落下しないように支持される。
【０００６】
符号１６は内部に火薬が充填された火薬ケースである。マガジン４のカートリッジ装填部５内に複数のカートリッジアセンブリ１０が装填された後、マガジン４の上部が蓋１８で閉鎖される。
【０００７】
図３に示すように、複数のマガジン４がマガジン支持部７にネジ締結されて、マガジンユニット２が完成する。再び図１を参照すると、符号８は火薬の爆発により発射された電波放射装置等の小型電子機器を示しており、例えばミサイル等を飛行機６から離れる方向に誘導する。
【０００８】
図４を参照すると、従来のカートリッジアセンブリ１０の縦断面図が示されている。カートリッジアセンブリ１０はマガジン４のカートリッジ装填部５内に装填されている。
【０００９】
カートリッジ１２は合成樹脂から形成されており、その一端（右端）には内部に火薬が充填された火薬ケース１６が装着されている。火薬ケース１６をカートリッジ１２に固定するには、火薬ケース１６の側面に形成された環状溝中にＯ−リング２２を嵌め込み、Ｏ−リング２２の弾性によりカートリッジ１２の火薬装填部に保持する。
【００１０】
カートリッジ１２の他端（左端）からピストン２４及び小型電子機器２０をこの順に挿入し、蓋１４でカートリッジ１２の左端を閉鎖する。
蓋１４をカートリッジ１２に固定するには、蓋１４とカートリッジ１２の側面にピン穴を穿ち、両者を貫通するピン２６をこれらのピン穴中に差し込むことにより行なっている。
【００１１】
蓋１４及びピン２６は軽量化のために合成樹脂から形成している。長期保管のための防湿対策としては、蓋１４の側面にシリコーンゴム等を塗布し、蓋１４をカートリッジ１２に挿入している。
【００１２】
しかして、電子機器２０を放出するには、火薬ケース１６内の火薬に点火する。ピストン２４は火薬の発火ガスを受けて電子機器２０を左方に押し、蓋１４に大きな押圧力が作用する。この力によりピン２６は剪断し、電子機器２０は放出される。
【００１３】
【発明が解決しようとする課題】
従来のカートリッジアセンブリでは、データの更新等のために電子機器２０をカートリッジ１２から取り出すときは、ピン２６を抜き取り、再収納時は改めてピンを打ち込む必要がある。
【００１４】
ところが、カートリッジ１２及び蓋１４は合成樹脂性であるので、カートリッジ１２と蓋１４のピン穴が緩くなってしまうため、繰り返しの使用には耐えられないという問題がある。一方、ピンを固定するために接着剤で固定すると、蓋１４の取り外しが不便となり、再取付の際に接着剤の除去が必要となる。
【００１５】
カートリッジはマガジンのカートリッジ装填部に装填されるが、カートリッジ装填部が樹脂で形成されている場合は、寸法が適合せず隙間が空くことがある。この状態で火薬が発火するとガス圧によりカートリッジが膨れ、ピストンとカートリッジの間に隙間が生じる。
【００１６】
その結果、この隙間よりガスが逃げてしまい、電子機器を適正な速度で放出できず、電子機器が航空機に接触し損傷を与える恐れがある。即ち、ピストンは注射器のようにカートリッジの内面に密着しガス圧の漏れを防いでいるが、上述のような場合はピストンとカートリッジの間に隙間が空いてガス漏れを生じてしまうという問題がある。
【００１７】
よって本発明の目的は、小型軽量で繰り返し使用が可能であり、且つ限定された空間内に装着可能な小型電子機器用カートリッジアセンブリを提供することである。
【００１８】
【課題を解決するための手段】
本発明によると、小型電子機器を内部に収納し一端部に装着された火薬により小型電子機器を発射するカートリッジアセンブリであって、小型電子機器を内部に収納するように適合した、一端部に前記火薬を装着可能な火薬装着部を有し、該一端部と反対側の他端部に複数の穴を有するカートリッジと、弾性を有する腕部と該腕部に一体的に形成された複数の突起を有し、該突起が前記カートリッジの穴に挿入されることにより前記カートリッジの他端部に装着される蓋とを具備し、前記カートリッジはカートリッジ装填部の寸法よりも僅かばかり小さな外側寸法と、カートリッジ外面の前記一端部からカートリッジの長手方向に少なくとも部分的に伸長する複数のリブ状突起を有していることを特徴とする小型電子機器用カートリッジアセンブリが提供される。
【００１９】
蓋をカートリッジに押し込むと、突起がカートリッジの端部に当たり蓋の腕部を内側に撓ませ、突起がカートリッジの内面に接しながら蓋がカートリッジ内へ挿入される。
【００２０】
突起がカートリッジに設けられている穴の位置まで来ると、蓋の腕部の弾力によって突起がカートリッジの穴内に押し込まれ蓋が固定される。好ましくは、蓋には環状溝が形成されており、この環状溝内にパッキンが嵌め込まれて、蓋によりカートリッジ内を密封する。
【００２１】
カートリッジには、火薬装着部に押し込まれた火薬を保持するカートリッジと一体的に形成された環状保持突起が設けられている。
【００２２】
カートリッジの外周面に形成された複数のリブ状突起により、マガジンのカートリッジ装填部とカートリッジ間の隙間を抑制することができ、火薬発火時のガス漏れを防止することができる。
【００２３】
好ましくは、ピストンはスカート状の受圧部を有しており、火薬の発火によるガス圧を受けるとピストンの受圧部が広がりカートリッジの内面に密着する。これにより、ガス漏れを有効に防止することができ、小型電子機器を適正な速度で放出することができる。
【００２４】
【発明の実施の形態】
以下図５乃至図９を参照して、本発明の一実施形態のカートリッジアセンブリ３０について説明する。実施形態の説明において、上述した従来技術と実質的に同一構成部分については同一符号を付して説明する。
【００２５】
図５を参照すると、本発明実施形態のカートリッジアセンブリ３０の縦断面図が示されている。カートリッジ３２の一端（右端）３２ａには、マガジン４のカートリッジ装填部５に装填されたカートリッジアセンブリ３０を保持する鍔３３と、火薬装着部３４が形成されている。
【００２６】
図６に最も良く示されるように、火薬装着部３４の先端には、火薬装着部３４に押し込まれた火薬ケース３６を保持する環状保持突起３８がカートリッジ３２と一体的に形成されている。火薬ケース３６内には火薬が充填されており、火薬ケース３６は環状保持突起３８により火薬装着部３４内に保持される。
【００２７】
カートリッジ３２の他端（左端）からピストン４０及び電波放射装置等の小型電子機器２０がこの順にカートリッジ３２内に挿入され、蓋４４によりカートリッジ３２の左端が閉鎖される。
【００２８】
図７に示すように、カートリッジ３２の左端３２ｂ近傍には４個のピン穴４２が形成されている。合成樹脂から形成された蓋４４は小型電子機器２０の端部の形状に概略合致した形状の半球状ベース４６と、腕部４８とから構成される。
【００２９】
半球状ベース４６には環状溝４９が形成されている。一方、腕部４８には切り込み（スリット）５２が形成されていて、腕部４８に可撓性を付与している。腕部４８には４個のピン状突起５４が一体的に形成されている。符号５０は蓋４４の環状溝４９中に嵌まり込むパッキンである。
【００３０】
蓋４４をカートリッジ３２の端部３２ｂに取り付けるには、蓋４４をカートリッジ３２の端部３２ｂに押し込むと、ピン状突起５４がカートリッジ３２の端部３２ｂに当たり、蓋４４の腕部４８を内側へ撓ませ、ピン状突起５４がカートリッジ３２の内面に接触しながら蓋４４がカートリッジ３２内へ挿入される。
【００３１】
蓋４４のピン状突起５４がカートリッジ３２のピン穴４２の位置まで来ると、蓋４４の腕部４８の弾力によってピン状突起５４がピン穴４２中に押し込まれ、蓋４４がカートリッジ３２の端部３２ｂに固定される。
【００３２】
蓋４４がカートリッジ３２の端部３２ｂに固定されると、蓋４４の環状溝４９内に装着されたパッキン５０がカートリッジ３２の内周面に密着し、カートリッジ３２内を密封する。
【００３３】
データの更新等のために小型電子機器２０をカートリッジアセンブリ３０から取り出すときには、カートリッジ３２のピン穴４２に抜取ピンを挿入し、蓋４４の腕部４８を撓ませ、ピン状突起５４とピン穴４２の結合を解除して、蓋４４をカートリッジ３２から取り外す。このように本実施形態の蓋４４は特殊構造をしているため、カートリッジ３２に対して容易に着脱でき、繰り返し使用が可能である。
【００３４】
図８（Ａ）を参照すると、自由状態のカートリッジ断面図が示されている。カートリッジ３２は実質上断面正方形状であり、マガジン４のカートリッジ装填部５の寸法よりもその外形が僅かばかり小さくなるように形成されている。
【００３５】
カートリッジ３２の横断面の実質上中央部には、カートリッジ３２の長手方向に伸長する４個のリブ状突起５６が一体的に形成されている。このリブ状突起５６はカートリッジ３２の全長の概略半分程度まで設けられている。
【００３６】
カートリッジ３２がカートリッジ装填部５に装填されると、図８（Ｂ）に示すようにリブ状突起５６がカートリッジ装填部５の内面に接触し、カートリッジ３２の横断面中央部を凹型に撓ませることにより、カートリッジ装填部５の寸法に隙間なくカートリッジ３２が適合する。これにより、火薬が発火した場合にカートリッジ３２を膨らませることができず、従来のようなガス漏れが生じることはない。
【００３７】
図９を参照すると、図５のＤ部分拡大断面図が示されている。ピストン４０は樹脂から形成されており、小型電子機器２０に当接する肉厚部５８と台形のスカート状受圧部６０から構成されている。
【００３８】
ピストン４０の肉厚部５８はカートリッジ３２の内寸より小さめな寸法となっており、カートリッジ３２の内面にはスカート状受圧部６０のみが接触する構成となっている。
【００３９】
ピストン４０をカートリッジ３２の左端３２ｂからカートリッジ３２内に挿入すると、ピストン４０はカートリッジ３２に設けられた段差部６２まで挿入される。
【００４０】
しかして、図５に示された状態より火薬ケース３６内の火薬に発火信号が与えられると、火薬が発火し、燃焼により生じたガスを火薬ケース３６とピストン４０後部の空間に放出する。放出されたガス圧によりピストン４０を押す力とカートリッジ３２を膨らませようとする力が生じる。
【００４１】
ピストン４０は小型電子機器２０を押し、蓋４４を経由したピン状突起５４に力が加わる。ある程度以上の荷重が蓋４４に加わると、ピン状突起５４は破断し、ピストン４０の力により小型電子機器２０は放出される。
【００４２】
一方、カートリッジ３２はその外面に設けられているリブ状突起５６によりカートリッジ装填部５の内面に密着しているので、ガス圧によりカートリッジ３２が膨張することなく、ガス漏れを生じることはない。
【００４３】
また、火薬装着部３４に形成された環状保持突起３８は周囲からガス圧を受けることにより火薬ケース３６を締め付けるため、この部分からガス漏れが生じることはない。
【００４４】
【発明の効果】
以上説明したように、本発明によれば、小型軽量で繰り返し使用が可能であり、且つ限定された空間内に装着することのできる小型電子機器用カートリッジアセンブリが提供される。特に、本発明は限られた空間内に装備する誘導武器等に大きく寄与することができる。
【図面の簡単な説明】
【図１】電波放射装置の飛行機への装着状態を示す図である。
【図２】カートリッジのマガジンへの装填を示す図である。
【図３】マガジンユニットを示す図である。
【図４】従来のカートリッジアセンブリ縦断面図である。
【図５】本発明実施形態のカートリッジアセンブリ縦断面図である。
【図６】図５のＡ部分拡大分解断面図である。
【図７】図５のＢ部分拡大分解断面図である。
【図８】図８（Ａ）は自由状態のカートリッジ断面図を示しており、図８（Ｂ）は図５のＣ−Ｃ線断面図を示している。
【図９】図５のＤ部分拡大断面図である。
【符号の説明】
４  マガジン
５  カートリッジ装填部
２０  小型電子機器
３０  カートリッジアセンブリ
３２  カートリッジ
３６  火薬ケース
３８  環状保持突起
４０  ピストン
４４  蓋
４８  腕部
５４  ピン状突起
５６  リブ状突起
【図１】
0003904727.tif 000002
【図２】
0003904727.tif 000003
【図３】
0003904727.tif 000004
【図４】
0003904727.tif 000005
【図５】
0003904727.tif 000006
【図６】
0003904727.tif 000007
【図７】
0003904727.tif 000008
【図８】
0003904727.tif 000009
【図９】
0003904727.tif 000010